(57)【特許請求の範囲】
【請求項１】
情報提供者が情報提供者側の第１のコンピュータからコンピュータネットワークを用いて情報利用者側の第２のコンピュータに建築情報を供給する建築情報供給システムにおいて、
前記第１のコンピュータ側で前もって入力された建築物の間取りデータと、同間取りデータに基づいて作成された当該建築物の特徴的な外観の画像データと、同間取りデータに基づき設計された構造駆体関連部材の構造データとを用意し、コンピュータネットワークを介した前記第２のコンピュータの同第１のコンピュータへのアクセスに応じて同第２のコンピュータのモニターに同第１のコンピュータ側の前記画像データを出力して任意の同画像を閲覧可能に表示させ、同第２のコンピュータからの、所定の閲覧画像に対応する前記間取りデータ及び構造データを要求するアクセスに応じて同第１のコンピュータは当該閲覧画像に対応する同間取りデータ及び構造データの情報利用者への配信処理を行うとともに課金処理を行うようにしたことを特徴とする建築情報供給システム。
【請求項２】
前記第２のコンピュータからのアクセスに応じて前記第１のコンピュータに記憶された前記間取りデータは絞り込みされて前記モニターに一覧表示されるとともに、一覧の中から選択された画像が同第２のコンピュータからのアクセスに応じて同モニターによって閲覧可能に表示され、同時に選択されなかった一覧の番号ボタンが同モニターには表示され、任意の同番号ボタンが同モニター上でマウスポインタによって選択されることで当該番号ボタンに対応した画像が同モニターによって閲覧表示されることを特徴とする請求項１に記載の建築情報供給システム。
【発明の詳細な説明】
【０００１】
【発明の属する技術分野】
本発明はネットワーク化されたコンピュータシステムによって種々の建築物の情報の供給を可能にした建築情報供給方法に関するものである。
【０００２】
【従来の技術】
近年、阪神大震災において多くの木造建築、特に一般住宅が倒壊した教訓から一般住宅を中心に建築構造の強度が改めて見直されている。平成１２年４月からは特に住宅品質確保促進法が施行され、住宅の性能表示が強く求められるようになり、住宅は評価機関により客観的に評価されて耐震性、耐風性、耐雪性等の住宅の強度に関して等級によるランク付けがされることとなった。
すなわち、評価機関が低いランク付けをした住宅は低品質の弱い構造の住宅ということとなってしまうため、それを避けるためにある間取りの住宅を設計した場合に過品質とならない程度の性能でかつ評価機関が高いランク付けをするように設計をする必要がある。この場合、構造駆体関連部材、例えば柱、梁、接合方法、壁面構造などはもっとも構造の強度に関連する部分でるため、構造駆体関連部材の設計如何が高いランクの評価を受けるかどうかの大きなポイントになる得るものである。
【０００３】
【発明が解決しようとする課題】
ところで昨今、木造３階建てや駐車スペースを一階に取り込んだ間取り等住宅もバラエティに富んだものになりつつある。また、施主の要望で特殊な構造を取りうる場合もある。このように間取りの選択肢が次々と増えることは旧来の間取りしかなじみのない工務店で対応していくことは必ずしも容易ではない。また、例え外観はこのような間取りに対応できたとしてもこれらの構造駆体関連部材まで正確に設計することは更に困難である。したがって、工務店においては今までに施工したことのない新たな間取りの住宅について過品質とならないよう、かつ評価機関が高いランク付けをするような正確な設計をすることは難しいこととなっていた。
本発明は上記課題を解決するためのものである。その目的は工務店において独自では困難な間取りとその構造設計を行いそれらのデータを工務店に供給する建築情報供給方法を提供することにある。
【０００４】
【課題を解決するための手段】
上記の課題を解決するために、請求項１の発明では、情報提供者が情報提供者側の第１のコンピュータからコンピュータネットワークを用いて情報利用者側の第２のコンピュータに建築情報を供給する建築情報供給システムにおいて、前記第１のコンピュータ側で前もって入力された建築物の間取りデータと、同間取りデータに基づいて作成された当該建築物の特徴的な外観の画像データと、同間取りデータに基づき設計された構造駆体関連部材の構造データとを用意し、コンピュータネットワークを介した前記第２のコンピュータの同第１のコンピュータへのアクセスに応じて同第２のコンピュータのモニターに同第１のコンピュータ側の前記画像データを出力して任意の同画像を閲覧可能に表示させ、同第２のコンピュータからの、所定の閲覧画像に対応する前記間取りデータ及び構造データを要求するアクセスに応じて同第１のコンピュータは当該閲覧画像に対応する同間取りデータ及び構造データの情報利用者への配信処理を行うとともに課金処理を行うようにしたことを要旨とする。
また、請求項２の発明では請求項１の発明の構成に加え、前記第２のコンピュータからのアクセスに応じて前記第１のコンピュータに記憶された前記間取りデータは絞り込みされて前記モニターに一覧表示されるとともに、一覧の中から選択された画像が同第２のコンピュータからのアクセスに応じて同モニターによって閲覧可能に表示され、同時に選択されなかった一覧の番号ボタンが同モニターには表示され、任意の同番号ボタンが同モニター上でマウスポインタによって選択されることで当該番号ボタンに対応した画像が同モニターによって閲覧表示されるようにしたことを要旨とする。
【０００５】
したがって、情報提供者側では情報提供者側の第１のコンピュータからコンピュータネットワークを用いて建築物の間取りデータと、同間取りデータに対して設計した構造駆体関連部材の構造データを情報利用者、主として工務店の要請に応じて提供できる。このとき、情報利用者側の第２のコンピュータのモニターに間取りデータに基づいて作成された当該建築物の特徴的な外観の画像データを出力して提供されるデータの概要を知ることができる。そして、利用したい間取りがあれば改めて情報利用者は間取りデータと、同間取りデータに対して設計した構造駆体関連部材の構造データを利用したい旨の選択動作を行う。これを受けて情報提供者は間取りデータ及び構造データの配信処理を行う。この配信処理はネットワーク上で行っても、ネットワークを介さずに行ってもよい。併せて選択動作に応じて利用することに対して課金処理を行う。
【０００６】
【発明の効果】
以上のように構成することで上記発明では、情報利用者は所望のデザインの間取りを閲覧しながら選択でき、そのような間取りデータと構造データを入手して住宅設計を行い施工することで評価機関から高いランク付けを受けることが期待できる。
【０００７】
【発明の実施の形態】
以下、本発明の建築情報供給方法を具体化した実施形態について図面に基づいて説明する。
本実施の形態ではインターネットによるデータ通信を利用する。図１に示すように、インターネットは複数のＬＡＮ（Local Area Network）が電話回線を通じて大規模に接続された通信網である。ＬＡＮの中核をなす情報提供者をしてのサーバ１１からインターネット内の情報利用者としての各工務店の端末コンピュータ１３との間でのデータ通信によって本実施の形態は実現される。
【０００８】
サーバ１１とはホストコンピュータの一部領域を占有する部分であって、図２に示すような概念で示される。サーバ１１は制御装置１５を有し、同制御装置１５には記憶装置１６が接続されている。また、制御装置１５と通信回線との間にはインターフェイス２３が配設されている。
制御装置１５はＣＰＵ（中央処理装置）及びその周辺装置によって構成され各種プログラムや入力データに基づいて得られた建築構造部材に関するデータをインターフェイス２３を介して通信回線に出力するとともに、端末コンピュータ１３から出力されるデータをインターフェイス２３を介して受信し処理する。
記憶装置１６にはサーバ１１全体の動作を制御するためのメインプログラム１７が予め記憶されている。メインプログラム１７にはデータベースを整理統合して管理するデータベース管理プログラム、通信ネットワークを制御するネットワーク処理プログラム、複数のプログラムに共通して適用できる機能を管理するＯＡ処理プログラム（例えば、日本語入力機能や印刷機能等）等の基本プログラムが含まれる。更に、間取りデータ１８、構造データ１９、間取りの画像データ２０、顧客データ２１がデータベースとして記憶されている。また、工務店の口座からサーバ１１を運用している者の口座への入金処理を制御するバンキングプログラム２２が記憶されている。
端末コンピュータ１３はモニタを有するとともに入力装置を備える。入力装置２５は例えば選択キー、テンキー、マウス等で構成される。
【０００９】
次にこのように構成された建築情報供給方法の作用について図３に示すフローチャートを用いて説明する。
工務店側の通常の接続作業を経てサーバ１１に端末コンピュータ１３が接続される。すると、サーバ１１の制御装置１５はインターフェイス２３を介してこの接続を認識するとメインプログラム１７にしたがって端末コンピュータ１３との間のデータ通信を制御する。制御装置１５は端末コンピュータ１３のモニタ２４にホームページ画像を出力して表示させる。以下の各ステップは端末コンピュータ１３のモニタ上にて工務店側の操作（サーバ１１へのデータ出力）に基づいて進行する。
ステップＳ１においてメインメニュー画面上でＩＤとパスワードの入力を促す。ステップＳ２において制御装置１５は入力されたＩＤとパスワードが誤っていると判断した場合にはステップＳ３で例えば「ＩＤ又はパスワードが正しくありません」との表示をさせる。一方、正しいと判断した場合には制御装置１５はステップＳ４で図４に示すようなプラン検索条件の第１の入力画面３１を表示させ入力を促す。ここで、工務店側では入力装置を操作して入力し、求める間取りデータの絞り込みを行う。第１の入力画面３１の条件はマウスポインタＰにて画面上の検索ボタン３２を押下（クリック）することで確定する。また、他の条件でやり直す場合にはクリアボタン３３を押下する。
【００１０】
次いで制御装置１５は第１の入力画面３１において確定された絞り込み条件に基づいて間取りデータ１８を選択し、ステップＳ５で図５に示すように第２の入力画面３４としてそれらを若いナンバー順に上下方向に並べた一覧表３５を表示させる。一覧表３５には上記第１の入力画面３１における入力項目（間取りや階数等）と対応する項目欄３６が最上段に設けられており、項目欄３６の下方にナンバーの若い順に具体的な数値データ等が記入されて表示される。
この段階ではまだ画像データは配信されていない。ここで、工務店側で入力装置を操作してマウスポインタＰを移動させ、所望のナンバー、例えばナンバー７の上で押下する。
すると、ステップＳ６において制御装置１５は図６に示すようにナンバー７の詳細データの第３の入力画面３７を表示させる。詳細データの内容としては前記一覧表３５で表示されたナンバー７の数値データ等、およびナンバー７の図面の種類データ３８である。ここでは８種類の図面が用意されているが、階数や設計図の複雑さ等の諸条件によって図面数は変わる。工務店側が入力装置のマウスを操作して例えば図面番号８を押下すると、この入力を受けて制御装置１５は図７に示すように第４の入力画面３９として図面番号８の斜視図を閲覧させる。第４の入力画面３９ではこの住宅のデータを入手したい場合の指標とするためにナンバー７の詳細データのうち特徴的なものを選択して併記される。更にデータ利用料金が示される。
第４の入力画面３９の下部寄りには格納されている図面数に応じた番号ボタン４０が配置され、第２の入力画面３７に戻らなくとも他の図面を閲覧させることが可能となっている。
【００１１】
図６に示すように第３の入力画面３７には確定ボタン３８が設けられている。マウスポインタＰを移動させ、押下することで現在閲覧中の間取りのデータの利用を求めるかどうかを決定することができる。ステップＳ７で確定ボタン３８を押下したことを認識すると、制御装置１５はステップＳ８で例えば「Ｎｏ．７を選択されました。ご利用となられるならばもう一度クリックして下さい」との表示をさせ再度の押下があるとその番号の間取りデータ１８、構造データ１９の選択が確定したと認識する。
そして、制御装置１５はステップＳ９でデータの配信手段を尋ねる画面を表示させる。ここでは、インターネット上で通信回線を介してダウンロードさせる場合と、ＦＤやＣＤなどの記憶媒体に記憶させ別途郵送する場合を選択でき、いずれの手段がよいかの入力を促す。ここで、ダウンロードを選択したと判断すると制御装置１５はステップＳ１０で図示しないダイアログを表示させ入力を促し、入力動作に基づいて通信回線を介して間取りデータ１８、構造データ１９及び間取りの画像データ２０を直ちに配信する。そして、ダウンロード完了後ステップＳ１１に移行する。一方、ダウンロードを選択しない場合には直ちにステップＳ１１に移行する。
制御装置１５はステップＳ１１で明細の表示を行い、併せてその選択された番号の間取りに設定された料金の課金処理を行う。工務店側は再びメイン画面に戻る、あるいは通常の操作にしたがって回線を切断し作業を終了する。
【００１２】
以上、本実施形態のように構成することにより、次のような効果が奏されることとなる。
（１）旧来の間取りしかなじみのない工務店において新しい間取りを採用したい場合に、このように間取りとその構造駆体関連部材の構造設計を入手できるのであれば、工務店側でＣＡＤ装置を使用して外壁や内装、更に基礎などの設計を補えばトータルとして高いランクの評価を評価機関から得られることとなり、住宅品質確保促進法の施行に伴う工務店の負担が軽減されることとなる。
このとき、前もって契約で工務店側に間取りデータ１８、構造データ１９を入力することで全体設計が完成できるＣＡＤソフトと貸与するようにしておけば工務店側で速やかに設計が可能である。
（２）工務店は自ら設計する必要がなく、更にその場で端末コンピュータ１３を使用してインターネットを利用してサーバ１１から情報を得ることができるため時間のロスが減りコストの削減となる。
（３）工務店側ではモニタ２４の画面において間取りを一通り見てから利用するかどうかを決めることができ、間取りを十分吟味してから選択できるため無駄がない。
（４）ＩＤとパスワードを入力しないとこのサービスを利用することはできない。つまり、登録した工務店以外の不特定者に情報が自由に見られてしまうことがない。尚、本実施の形態ではＩＤ及びパスワードの事前の登録については言及していないが、これはホームページ画像上で行うことも、別途申し込み用紙にて行い、サーバ管理者側で行うことも可能である。
（５）情報を利用すると同時に課金でき、それが自動的に引き落とされるため料金請求の面倒が解消される。
【００１３】
また、上記実施形態は次のように変更して実施することも可能である。
・上記実施の形態ではデータ通信としてインターネットを利用したが、インターネット以外のデータ通信を使用することも可能である。
・上記実施の形態では課金手段は自動的に引き落としされるようになっていたが、もちろん別途工務店に請求書を送付するようにしてもよい。
・工務店以外に例えば設計士の端末コンピュータ１３で利用させるようにしてもよい。
・上記実施の形態では間取りデータ１８、構造データ１９及び間取りの画像データ２０を提供するようになっていたが、設計はこれに加え仕様（例えば、外壁、屋根の材料、断熱遮音設備、キッチン等）も必要である。そのため、これらのデータもサーバ１１内に蓄積し提供可能としてもよい。
・チェックリスト３１の項目は図４に掲げた以外にも自由に設定可能である。
・上記表示画面は一例であって、その他の画面構成で間取りを閲覧させることは自由である。その他本発明はその趣旨を逸脱しない態様で変更して実施することは自由である。
【００１４】
【図面の簡単な説明】
【図１】本発明の実施の形態のインターネットの概念を説明する概念図。
【図２】サーバの電気的構成を説明するブロック図
【図３】間取りの閲覧から選択までの過程を説明するフローチャート。
【図４】第１の入力画面を示す図。
【図５】第２の入力画面における一覧表を示す図。
【図６】第３の入力画面を示す図。
【図７】第４の入力画面における斜視図を示す図。
【符号の説明】
１１…情報提供者としてのサーバ、１３…情報利用者としての端末コンピュータ、１８…間取りデータ、１９…構造データ、２０…画像データ。
【図１】
0004218922.tif 000002
【図２】
0004218922.tif 000003
【図３】
0004218922.tif 000004
【図４】
0004218922.tif 000005
【図５】
0004218922.tif 000006
【図６】
0004218922.tif 000007
【図７】
0004218922.tif 000008